(57)【特許請求の範囲】
【請求項１】
外筒と内筒とを具備した嵌合筒と、該嵌合筒にその内筒から上方に延びるよう連設され上端に内方に延びる注出筒支持壁を具備した螺合筒と、前記支持壁に連設され上端に注出口唇部を設け、その中間に注出孔を形成する切断溝を設けた隔壁を連設し、該隔壁の下方を円筒状周壁とした注出筒とを備えた中栓と、
前記注出筒に係合する密封リングを垂設した頂壁と、前記螺合筒に螺合する側筒壁とを具備したキャップとからなる注出容器であって、
前記注出筒の隔壁下方の円筒状周壁は、嵌合筒内筒の内面から離れて位置し、内筒状周壁内周面には、注出孔の端縁に連続し円筒状周壁の下端に達する表面が垂直な液誘導リブを配設していることを特徴とする注出容器の中栓とキャップ。
【請求項２】
外筒と内筒とを具備した嵌合筒と、該嵌合筒にその内筒から上方に延びるよう連設され上端に内方に延びる注出筒支持壁を具備した螺合筒と、前記支持壁に連設され上端に注出口唇部を設け、その下端に注出孔を形成する切断溝を設けた隔壁を連設した注出筒とを備えた中栓と、
前記注出筒に係合する密封リングを垂設した頂壁と前記螺合筒に螺合する側筒壁とを具備したキャップとからなる注出容器であって、
前記注出筒は、隔壁下面に注出孔の端縁に連続し、かつ、嵌合筒の内筒から独立し、その内面から離れて位置する液誘導ピンを垂設していることを特徴とする注出容器の中栓とキャップ。
【請求項３】
キャップが、密封リングを注出筒の注出口唇部内周に液密的に係合させるとともに、密封リングの外側に注出口唇部外周に圧接する口唇抑え部を頂壁から側筒壁に沿って設けていることを特徴とする請求項１または２記載の注出容器の中栓とキャップ。
【発明の詳細な説明】
【０００１】
【発明の属する技術分野】
本発明は、注出容器、とくに内容液が注出筒下端に連接した隔壁上に滞留することを防止するとともに、注出筒の密封性を向上させ、容器の内圧上昇時のキャップ周辺部位の内容液による汚れを防止することができる注出容器の中栓とキャップに関する。
【０００２】
【従来の技術】
従来、図６（ａ）および（ｂ）に示すように、容器Ａｂと、上端に注出口唇部４０を設けた注出筒４１と該注出筒４１の下端に連設された注出孔４２を形成する切断溝４３を設けた隔壁４４とを具備した中栓Ｂｂと、注出筒４１に係合する密封リング４５を垂設した頂壁４６と側壁４７とを具備したキャップＣｂとからなる注出容器の中栓とキャップが知られている。
【０００３】
【発明が解決しようとする課題】
しかしながら、上記のような構造の中栓付容器では液切れが悪く、図６（ｂ）のａおよびｂに示すように、中栓およびキャップ内面に内容液の一部が付着残留し、内容物を永く使用しないでおくと次第に固化して、見た目も悪くなり、注出筒の汚れとして使用者に不快感を抱かせることがあった。
【０００４】
また、中栓およびキャップ内面に内容液の一部が付着残留した状態の注出容器は、冷蔵庫などに保管した後、取り出して室温下で使用しようとすると、温度の上昇に応じて容器の内部圧力が高まり、場合によっては、中栓およびキャップ内面に付着残留した内容物がキャップの外に滲み出し汚れることがあった。
【０００５】
また、中栓として従来よりネジ式あるいは打栓式のものが知られているが、打栓によって容器に嵌着した場合に、時には注出筒が真円にならないということが発生し、これに対処して注出筒の偏奇を矯正するための何らかの手段を講じなければならないという問題があった。
【０００６】
本発明は、上記の問題点を解決することを技術的課題とし、注出筒の隔壁上に内容液が滞留しないようにするとともに、中栓およびキャップ内側に内容液が付着残留することを防止し、液切れが良好で、しかも打栓によって中栓を容器に嵌着した場合に、注出筒がほぼ真円状態を保ち、注出筒の偏奇を矯正するために何らかの手段を講じる必要のない、すなわち、注出筒の密封性を向上させた注出容器の中栓とキャップを提供することを目的とする。
【０００７】
【課題を解決するための手段】
本発明は、上記の技術的課題を達成するため、注出容器の中栓とキャップとして、外筒と内筒とを具備した嵌合筒と、該嵌合筒にその内筒から上方に延びるよう連設され上端に内方に延びる注出筒支持壁を具備した螺合筒と、前記支持壁に連設され上端に注出口唇部を設けその中間に注出孔を形成する切断溝を設けた隔壁を連設し該隔壁の下方を円筒状周壁とした注出筒とを備えた中栓と、前記注出筒に係合する密封リングを垂設した頂壁と前記螺合筒に螺合する側筒壁とを具備したキャップとからなる注出容器であって、
前記注出筒の隔壁下方の円筒状周壁は、嵌合筒内筒の内面から離れて位置し、内筒状周壁内周面には、注出孔の端縁に連続し円筒状周壁の下端に達する表面が垂直な液誘導リブを配設していることを特徴とする構成を採用する。
【０００８】
また、中栓の他の実施態樣として、外筒と内筒とを具備した嵌合筒と、該嵌合筒にその内筒から上方に延びるよう連設され上端に内方に延びる注出筒支持壁を具備した螺合筒と、前記支持壁に連設され上端に注出口唇部を設けその下端に注出孔を形成する切断溝を設けた隔壁を連設した注出筒とを備えた中栓と、前記注出筒に係合する密封リングを垂設した頂壁と前記螺合筒に螺合する側筒壁とを具備したキャップとからなる注出容器であって、前記注出筒は、隔壁下面に注出孔の端縁に連続し、かつ、嵌合筒の内筒から独立し、その内面から離れて位置する液誘導ピンを垂設していることを特徴とする構成を採用する。
【０００９】
また、注出容器のキャップとして、キャップが、密封リングを注出筒の注出口唇部内周に液密的に係合させるとともに、密封リングの外側に注出口唇部外周に圧接する口唇抑え部を頂壁から側筒壁に沿って設けていることを特徴とする構成を採用する。
【００１０】
【発明の実施の形態】
次に、本発明の第１実施形態について、図面を参照して説明する。
図１において、Ａは容器、Ｂは中栓、Ｃはキャップである。
容器Ａは、ガラスまたはＰＥＴその他の硬質の合成樹脂で成形されており、中栓Ｂは軟質の合成樹脂で、キャップＣは硬質または軟質の合成樹脂で成形されている。
容器Ａの口筒部１外周面には、係合突条２が突設されている。
【００１１】
図２〜４に示すように、中栓Ｂは、容器Ａの口筒部１に嵌着する嵌合筒３と、注出筒４を連接した螺合筒５とを具え、嵌合筒３は、外筒６と内筒７および肩壁８とからなっている。
外筒６の下端部内周には、容器Ａの口筒部１外周に設けられた係合突条２に係合する係合突条９が突設されており、内筒７の外周面上方には、口筒部１内周との間に締め代を形成する拡径された周面１０が形成されている。
【００１２】
中栓Ｂの嵌着時には、図１に示すように、内筒７の周面１０が容器Ａの口筒部１内周に嵌合され、外筒６の係合突条９が係合突条２下端に係合して、中栓Ｂを容器Ａの口筒部１に嵌着する。
そして、内筒７とともに肩壁８が容器Ａの口筒部１上端面に密着することによって容器内部が密封されるようになっている。
【００１３】
螺合筒５は、嵌合筒３の内筒７から上方に延びるよう連設されており、螺合筒５の外周には、ネジ１１が刻設されている。
螺合筒５上端には、内方に延びるように注出筒４の支持壁１２が連設されている。
【００１４】
注出筒４は、その上端周縁には、外方に拡開され湾曲する注出口唇部１３が形成され、その中間には、隔壁１４が連設されている。
隔壁１４の裏面には、図３に示すように、角部を円弧としたほぼ菱形の形状に沿って、薄肉を残してＶ字状の切断溝１５が設けられ、その内側の隔壁１４は除去部１６となっており、除去部１６の上面には、図２に示すように、連結片１７を介して指掛けリング１８が設けられている。
【００１５】
容器の使用にあたっては、指掛けリング１８を引っ張り除去部１６を取り去ることによって、隔壁１４にほぼ菱形形状の注出孔１９が形成される。
注出孔１９の周縁２０の長手方向の端部は、注出筒４下端に近接する小径の半円状の端縁２１となっている。
なお、除去部１６の形状は、菱形に代えて、方形、円形、楕円形、波形を採用してもよい。
【００１６】
注出筒４の隔壁１４下方は、注出筒４の下部の円筒状周壁２２となっており、該円筒状周壁２２内周には、注出孔１９の長手方向の端縁２１に対応する位置に、表面が端縁２１に接して一対の液誘導リブ２３が垂設されている。
液誘導リブ２３の下端は、注出筒４の円筒状周壁２２下端に達するよう設けられており、端縁２１から隔壁１４上の内容液を誘導する。
【００１７】
図５に示すように、キャップＣは、頂壁３０と側筒壁３１とを具えている。
頂壁３０の下面には、注出筒４の注出口唇部１３内周に液密的に係合する密封リング３２が垂設されており、その外側と側筒壁３１の間の空間部に、注出口唇部１３の上端部外周面に一定の締め代をもって圧接する口唇抑え部３３が設けられている。
側筒壁３１の内周には、中栓Ｂの螺着筒５のネジ１１に螺合するネジ３４が刻設されている。
【００１８】
次に、本注出容器の構成に基づく作用効果について説明する。
本注出容器は、容器Ａに内容液を充填後、キャップＣを被嵌した中栓Ｂが容器Ａの口筒部１に打栓され密封される。
その際、容器Ａの口筒部１内周と内筒７とのシール性を高めるために締め代を多くとっているので、打栓後に螺着筒５に連設された注出筒４が偏奇して、内周が真円にならない場合がある。
【００１９】
本発明のキャップＣに設けられた密封リング３２は、注出筒４の注出口唇部１３の内周に圧接して、液密的に係合するようにしているが、係合点すなわち力の作用点が支持壁１２より離れているので、注出筒４自体を真円にするためにわずかな力で矯正させることができ、さらに、口唇抑え部３３が注出口唇部１３外周に圧接するので矯正をより容易にすることができる。
【００２０】
また、口唇抑え部３３は、注出口唇部１３の端部面外周に締め代をもって圧接するようにしているから、密封リング３２と口唇抑え部３３によりキャップ嵌着時の液密性を一層向上するようにしている。
【００２１】
注出容器の使用にあたって、内容液注出後に容器Ａを元の直立状態に戻すと、注出筒４内の内容液は隔壁１４の注出孔１９より容器内に戻るが、隔壁１４上に滞留した内容液も、容器内にもどされる。
すなわち、注出孔１９の隅部の端縁２１に接して隔壁１４下面には液誘導リブ２３が垂設されているので、端縁２１周辺の滞留液は液誘導リブ２３に伝わり、該液誘導リブ２３から毛管作用によって下部の円筒状周壁２２に移動し、注出筒４下端から容器内に落下する。
【００２２】
それにつれて、注出孔１９の周縁２０に付着している滞留液、周縁２０からやや離れた付近の滞留液も、端縁２１周辺に引き寄せられることになり、液誘導リブ２３を通じて落下する。
そして、隔壁１４上に滞留している内容液は、上記の滞留液の移動につれてその後に引き寄せられることになり、隔壁１４上のすべての滞留液は、順次に端縁２１の方向に引き寄せられて液誘導リブ２３を通じて落下する。
したがって、内容液は隔壁１４上に滞留することはない。
【００２３】
また、中栓ＢにキャップＣを被嵌すると、前述のように密封リング３２と口唇抑え部３３により密閉されるので、液密性および気密性を向上させることができる。
【００２４】
さらに本実施形態の注出容器の密封性について述べると、液誘導リブ２３が注出筒４の隔壁１４下方の円筒状周壁２２内面に配設され、円筒状周壁２２は、嵌合筒３の内筒７とは離れているから、嵌合筒３の内筒７は、完全な円形であり、肉厚も全円周にわたって均一になっている。
したがって、成形時に内筒７の外側に部分的な異形形状、厚肉によるヒケが生じたり、真円にならないということがなくなり、嵌合筒３の内筒７と容器口筒部１との間の密封性はより高められている。
【００２５】
次に、本発明の効果を実験例を挙げ説明する。
［実験例］
本発明品と従来品を用いて、中栓の隔壁上に付着残留する醤油液量の測定と、容器内圧上昇時のキャップ周辺部位の醤油噴出による汚れ測定を行った。
【００２６】
Ｉ  サンプルの調整
容器Ａを１リットル醤油用ペットボトルとし、中栓ＢおよびキャップＣの細部をそれぞれ表１記載の通りとして、本発明品および従来品のサンプルを調整した。
【００２７】
【表１】
0004062465.tif 000002
【００２８】
表中、Ｈ1、Ｈ2、Ｗ1は、従来品については図７に示されているが、本発明品については図４，５における対応部分の寸法がそれに相当する。
【００２９】
II  試験方法
（１）中栓の隔壁面に付着残留する醤油液量の測定
図２において、指掛けリング１８の引き上げにより注出孔１９が形成された容器Ａとしてペットボトルを台座（図示せず）に置き、予めスポイドに採取した醤油５ｍｌを、注出筒４の内周面上部付近より周縁全周に添って静かに流下する。その後、経時的（１，２，３，５および１０分経過後）に隔壁面に付着残留する醤油を拭き取り、その重量を測定する。
【００３０】
（２）容器内圧上昇時のキャップ周辺部位の醤油噴き出しによる汚れ測定
醤油５００ｍｌを入れたペットボトルの気相部に向かって、図７に例示するように、孔ＨＡおよび孔ＨＢを開け、孔ＨＡを加圧ポンプの吐出口に気密的に連通し、また孔ＨＢを内圧測定用のマノメーターに気密的に連通した後、ペットボトルを台座（図示せず）に置き、予めスポイドに採取した醤油５ｍｌを、注出筒４の内周面上部付近より周縁全周に添って静かに流下する。
直ちに、トルク１０kgｆ・cmで、キャップを締めて閉じ、加圧ポンプを運転して、加圧空気によるボトル内の加圧を開始し、醤油が噴出したときの内圧をマノメーターにより測定する。
これを各１０個の試験品について試験した。
【００３１】
III 試験結果
（１）中栓の隔壁面に付着残留する醤油液量の測定結果については図８に示す。
（２）容器内圧上昇時のキャップ周辺部位の醤油噴き出しによる汚れ測定の結果については表２に示す。
【００３２】
【表２】
0004062465.tif 000003
【００３３】
IV  試験のまとめ
（１）図８の結果から、従来品は、中栓の隔壁面に０．４ｇの醤油が付着残留し、その量は経時的にほとんど変化せず、液戻りが良好とはいえない。
本発明品は経時的に速やかに減少し、液戻りがよいことが判る。また、最終的に、中栓隔壁面に付着残留する醤油の液量を０．１ｇまで低減できることが判る。
（２）表２の結果から従来品は、容器内圧が上昇するとキャップ周辺部位の醤油噴出しによる汚れを防止できない。すなわち、１０個繰返試験中内圧を８５０ｍｍＨ2Ｏ まで上げても噴出しなかったのは２個だけで、あとの８個は醤油が噴出して汚れた。
本発明は、内圧を８５０ｍｍＨ2Ｏ まで上げても、１０個繰返試験中１個も噴出しなかった。すなわち醤油噴出による汚れを完全に防止できることが判る。
【００３４】
次に、本発明の第２実施形態について、図９，１０を参照して説明する。
本実施形態は、前記第１実施形態の中栓Ｂにおいて、液誘導リブに変え液誘導ピンを採用したもので、容器Ａ、中栓Ｂａの嵌合筒３ａと螺合筒５ａ、キャップＣは、前記第１実施形態と同一であるので説明を省略し、中栓Ｂａの注出筒４ａに関連する相違点を中心に、以下説明する。
【００３５】
図９，１０に示すように、中栓Ｂａは、前第１実施形態と同様に、嵌合筒３ａと、注出筒４ａを連接した螺合筒５ａとを具え、嵌合筒３ａを容器Ａの口筒部１に嵌合される。
【００３６】
注出筒４ａは、前記第１実施形態と同様に、その上端周縁には、外方に拡開され湾曲する注出口唇部１３ａが形成され、下端には、隔壁１４ａが連設されている。
隔壁１４ａの裏面には、図１０に示すように、角部を円弧としたほぼ菱形の形状に沿って、薄肉を残してＶ字状の切断溝１５ａが設けられ、その内側の隔壁１４ａは除去部１６ａとなっており、除去部１６ａの上面には、図９に示すように、連結片１７ａを介して指掛けリング１８ａが設けられている。
容器の使用にあたっては、指掛けリング１８ａを引っ張り除去部１６ａを取り去ることによって、隔壁１４ａにほぼ菱形形状の注出孔１９ａが形成される。
【００３７】
注出孔１９ａの長手方向の端縁は、注出筒４ａ下端に近接する小径の半円状の端縁２１ａとなっており、半円状の端縁２１ａは注出筒４ａ下端に接続するとともに、端縁２１ａに接して隔壁１４ａの下面には、液誘導ピン３５が垂設されている。
該液誘導ピン３５と嵌合筒３ａの内筒７ａとの間は、連結板３６によって連結されている。
液誘導ピン３５だけでも、一定の効果をあげることができ、連結板３６をなくすこともできる。
【００３８】
次に、本実施形態注出容器の構成に基づく作用効果について説明する。
本注出容器は、容器Ａに内容液を充填後、キャップＣを被嵌した中栓Ｂａが容器Ａの口筒部１に打栓され密封される。
その際、中栓Ｂａの注出筒４ａの上部およびキャップＣの形状は、前記第１実施形態と同一であるので、注出筒４ａを真円とし、注出口唇部１３ａの液密性を向上させるという点では、同等の効果を達成することができる。
【００３９】
注出容器の使用にあたって、内容液注出後に容器Ａを元の直立状態に戻すと、注出筒４ａ内の内容液は隔壁１４ａの注出孔１９ａより容器内に戻るが、隔壁１４ａ上に滞留した内容液も、容器内に戻される。
すなわち、注出孔１９ａの隅部の端縁２１ａに接して隔壁１４ａ下面には液誘導ピン３５が垂設されているので、端縁２１ａ周辺の滞留液は液誘導ピン３５に伝わり、該液誘導ピン３５から毛管作用によって連結板３６を介して内筒７ａに移動し、内筒７ａ下端から容器内に落下する。
【００４０】
それにつれて、注出孔１９ａ周縁２０ａに付着している滞留液、周縁２０ａからやや離れた付近の滞留液も、周縁２０ａ周辺に引き寄せられることになり、液誘導ピン３５を通じて、または誘導ピン３５から連結板３６を介して内筒７ａ下端から落下する。
そして、隔壁１４ａ上に滞留している内容液は、上記の滞留液の移動につれてその後に引き寄せられることになり、隔壁１４ａ上のすべての滞留液は、順次に端縁２１ａの方向に引き寄せられて液誘導ピン３５または内筒７ａ下端から落下する。
したがって、内容液は隔壁１４ａ上に滞留することはない。
【００４１】
本第２実施形態の効果について、第１実施形態と同様に、隔壁面残留量の試験を行い確かめた。
試験品として、液誘導リブにかえ、誘導ピンの径φを１ｍｍ、長さを６ｍｍとして、その他の部材の寸法は、表１の部材に同一として、中栓の隔壁面に付着残留する醤油液量の測定をした（表記載は省略する）。
その測定結果については、図８に示す第１実施形態の結果とほとんど同一の結果を得られることが判った。
【００４２】
【発明の効果】
本発明は、上記のように構成されているから、次の効果を奏する。
隔壁下面に、注出孔の端縁に連続する液誘導部材を垂設しているからその付近の滞留液が落下し、注出孔周縁の液、隔壁上の滞留液も引き寄せられ、隔壁上の内容液はすべて容器内に戻されるようになった。
そのため、長期に使用しない場合にも、隔壁上に滞留物が付着して固化することはないので、常に清潔な状態で使用でき、使用者に不快感を与えない。
【００４３】
また、密封リングと口唇抑え部により、注出筒自体を真円にするよう矯正し、注出口唇部に内外から締め代をもって係合するので、キャップ嵌着時の液密性が一層向上するようになった。
【００４４】
また、液戻りが良好であるから、中栓の隔壁面に付着残留する内容液を、極めて少量に低減することができ、さらにまた、冷蔵庫からの取り出しにより容器内圧が上昇しても、内容液の滲み出しによる汚れを完全に防止することができる。
【図面の簡単な説明】
【図１】本発明第１実施形態の中栓とキャップの組立図である。
【図２】中栓の説明図で、（ａ）は上面図、（ｂ）は一部断面正面図である。
【図３】中栓の底面図である。
【図４】除去部を取り去った中栓の説明図で、図２（ｂ）のＡ−Ａ線における断面図である。
【図５】キャップの説明図で、（ａ）は一部断面正面図、（ｂ）は底面図である。
【図６】従来の中栓とキャップの組立図で、（ａ）は除去部を取り去る前の縦断面図、（ｂ）は除去部を取り去った後、内容液の一部が付着残留している状態を説明するための図である。
【図７】試験品を説明する図である。
【図８】中栓の隔壁面に付着残留する醤油液量の測定結果を示す図である。
【図９】第２実施形態の中栓の説明図で、（ａ）は上面図、（ｂ）は一部断面正面図である。
【図１０】中栓の底面図である。
【符号の説明】
Ａ，Ａｂ          容器
Ｂ，Ｂａ，Ｂｂ    中栓
Ｃ，Ｃｂ          キャップ
３，３ａ          嵌合筒
４，４ａ，４１    注出筒
５，５ａ          螺合筒
７，７ａ          内筒
１２                支持壁
１３，１３ａ，４０  注出口唇部
１４，１４ａ，４４  隔壁
１６，１６ａ        除去部
１９，１９ａ，４２  注出孔
２１，２１ａ        端縁
２２                円筒状周壁
２３                液誘導リブ
３２，４５          密封リング
３３                口唇抑え部
３５                液誘導ピン
３６                連結板
【図１】
0004062465.tif 000004
【図２】
0004062465.tif 000005
【図３】
0004062465.tif 000006
【図４】
0004062465.tif 000007
【図５】
0004062465.tif 000008
【図６】
0004062465.tif 000009
【図７】
0004062465.tif 000010
【図８】
0004062465.tif 000011
【図９】
0004062465.tif 000012
【図１０】
0004062465.tif 000013